(57)【要約】【課題】  複数の二次電池を容易かつ迅速にラックに配設可能にする。【解決手段】  収容箱１１の奥行きＤ方向に、端子１２１が上向きの状態で複数のリチウムイオンセル１２が収容され、各セル１２の端子１２１が接続板１３を介して一筆書き状に導通接続され、そのモジュール間接続端子１３１が収容箱１１の前面１１ａ側に配置され、電圧や温度などを測定するための計測線１４の一端部が各セル１２に接続され、計測線１４の他端部が収容箱の前面１１ａ側に配置されている。【選択図】  図１
2013164961.tif 000002
【特許請求の範囲】
【請求項１】
収容箱の奥行き方向に、端子が上向きの状態で複数の二次電池が収容され、
前記各二次電池の端子が接続体を介して一筆書き状に導通接続され、その始点と終点の接続端部が前記収容箱の前面側および背面側の少なくとも一方に配置され、
電圧や温度などを測定するための計測線の一端部が前記各二次電池に接続され、前記計測線の他端部が前記収容箱の前面側または背面側の一方に配置されている、
ことを特徴とする二次電池モジュール。
【請求項２】
前記奥行き方向に収容された前記二次電池が、偶数列に前記収容箱に収容され、
前記接続端部が前記収容箱の前面側または背面側の一方に配置され、
前記計測線の他端部が、前記接続端部と同じ前記収容箱の前面側または背面側に配置されている、
ことを特徴とする請求項１に記載の二次電池モジュール。
【請求項３】
前記接続端部と前記計測線の他端部とが前記収容箱の前面側に配置された、請求項２に記載の二次電池モジュールを複数収容する二次電池ラックであって、
前面が開口されて前記二次電池モジュールを収容可能なラック本体と、
前記計測線から計測結果を収集する監視装置と、
一端部が前記監視装置に接続され、他端部が前記ラック本体の前面から突出して前記計測線の他端部と接続可能なラック内蔵配線と、
を備えることを特徴とする二次電池ラック。
【請求項４】
前記接続端部と前記計測線の他端部とが前記収容箱の背面側に配置された、請求項２に記載の二次電池モジュールを複数収容する二次電池ラックであって、
前面が開口されて前記二次電池モジュールを収容可能なラック本体と、
前記計測線から計測結果を収集する監視装置と、
一端部が前記監視装置に接続され、他端部が前記ラック本体の背面側に配置され、前記二次電池モジュールが前記ラック本体に収容された際に、前記他端部が前記計測線の他端部と接続されるラック内蔵配線と、
前記ラック本体の背面側に配置され、前記二次電池モジュールが前記ラック本体に収容された際に、前記接続端部と接続して前記複数の二次電池モジュールを所定の経路で導通接続する内蔵接続体と、
を備えることを特徴とする二次電池ラック。
【請求項５】
前記奥行き方向に収容された前記二次電池が、奇数列に前記収容箱に収容され、
一方の前記接続端部が前記収容箱の前面側に配置され、他方の前記接続端部が前記収容箱の背面側に配置されている、
ことを特徴とする請求項１に記載の二次電池モジュール。
【請求項６】
前記計測線の他端部が前記収容箱の背面側に配置された、請求項５に記載の二次電池モジュールを複数収容する二次電池ラックであって、
前面が開口されて前記二次電池モジュールを収容可能なラック本体と、
前記計測線から計測結果を収集する監視装置と、
一端部が前記監視装置に接続され、他端部が前記ラック本体の背面側に配置され、前記二次電池モジュールが前記ラック本体に収容された際に、前記他端部が前記計測線の他端部と接続されるラック内蔵配線と、
前記ラック本体の背面側に配置され、前記二次電池モジュールが前記ラック本体に収容された際に、前記収容箱の背面側に配置された接続端部と接続して前記複数の二次電池モジュールを所定の経路で導通接続する内蔵接続体と、
を備えることを特徴とする二次電池ラック。
【発明の詳細な説明】
【技術分野】
【０００１】
この発明は、二次電池を複数収容した二次電池モジュールおよび、この二次電池モジュールを複数収容する二次電池ラックに関する。
【背景技術】
【０００２】
例えば、リチウムイオン二次電池は、エネルギー密度が高い、自己放電量が少ない、などという利点を有し、自動車用蓄電池や電気・電子機器用蓄電池などとして広く使用されている。また、使用目的に応じた電圧や容量を得るために、単電池であるリチウムイオンセルを複数直列に接続して組電池を構成し、使用する場合がある。このようにして組電池として使用する場合、充電時において各リチウムイオンセルの充電状態にバラツキが生じる場合がある。
【０００３】
このため、バラツキをなくして各リチウムイオンセルを適正に充電するために、各リチウムイオンセルには、バイパス回路（抵抗）が設けられている（例えば、特許文献１参照。）。すなわち、各リチウムイオンセルの電圧を監視し、あるリチウムイオンセルの電圧が適正な充電電圧範囲（許容充電電圧範囲）の上限を超えた場合に、このセルに対応するバイパス回路によってこのセルを放電（バイパス放電）させ、充電電圧を下げることで、電圧が低いリチウムイオンセルの充電を促進する、というものである。
【０００４】
また、リチウムイオンセルの異常昇温によるセルの損傷、破損などを防止するために、各リチウムイオンセルの温度を測定、監視している。このように、電圧や温度を測定するための計測線を、各リチウムイオンセルに対して配線する必要がある。一方、リチウムイオンセルの端子は、セルの上面側に配置されており、通常、端子を上向きにした状態（縦置き）で各セルをラック（電池架）内に収容する。その後、計測線を各リチウムイオンセルに配線するとともに、セル同士を接続体（バスバー）で導通接続している。
【先行技術文献】
【特許文献】
【０００５】
【特許文献１】特開２００２−０６４９４７号公報
【発明の概要】
【発明が解決しようとする課題】
【０００６】
ところで、リチウムイオンセルの収容密度を高めてラックの省スペース化などを図るために、ラックには、上下方向に複数の電池棚が設けられ、各電池棚にセルを載置している。しかしながら、セルの上面と上段の電池棚との隙間・空間が限られているため、各セルに計測線を配線したり、セル同士を接続体で接続したりする作業が煩雑となっていた。しかも、収容密度を高めるために、各電池棚の奥行方向に複数のセルを載置しており、配線や接続などの作業の際に、ラックの奥側に手を延ばして作業を行わなければならず、作業が困難で多大な時間と労力とを要していた。
【０００７】
そこでこの発明は、容易かつ迅速に複数の二次電池をラックに配設することを可能にする二次電池モジュールおよび、この二次電池モジュールを容易かつ迅速に配設可能な二次電池ラックを提供することを目的とする。
【課題を解決するための手段】
【０００８】
上記目的を達成するために請求項１に記載の発明は、収容箱の奥行き方向に、端子が上向きの状態で複数の二次電池が収容され、前記各二次電池の端子が接続体を介して一筆書き状に導通接続され、その始点と終点の接続端部が前記収容箱の前面側および背面側の少なくとも一方に配置され、電圧や温度などを測定するための計測線の一端部が前記各二次電池に接続され、前記計測線の他端部が前記収容箱の前面側または背面側の一方に配置されている、ことを特徴とする二次電池モジュールである。
【０００９】
請求項２に記載の発明は、請求項１に記載の二次電池モジュールにおいて、前記奥行き方向に収容された前記二次電池が、偶数列に前記収容箱に収容され、前記接続端部が前記収容箱の前面側または背面側の一方に配置され、前記計測線の他端部が、前記接続端部と同じ前記収容箱の前面側または背面側に配置されている、ことを特徴とする。
【００１０】
請求項３に記載の発明は、前記接続端部と前記計測線の他端部とが前記収容箱の前面側に配置された、請求項２に記載の二次電池モジュールを複数収容する二次電池ラックであって、前面が開口されて前記二次電池モジュールを収容可能なラック本体と、前記計測線から計測結果を収集する監視装置と、一端部が前記監視装置に接続され、他端部が前記ラック本体の前面から突出して前記計測線の他端部と接続可能なラック内蔵配線と、を備えることを特徴とする。
【００１１】
この発明によれば、ラック本体の前面の開口から二次電池モジュールを複数収容し、ラック本体の前面側で、ラック内蔵配線の他端部を各二次電池モジュールの計測線の他端部に接続することで、ラック内蔵配線を介して各計測線が監視装置に接続される。また、ラック本体の前面側で、各二次電池モジュールの接続端部を接続体（バスバー）で接続することで、各二次電池モジュールさらには各二次電池が導通接続される。
【００１２】
請求項４に記載の発明は、前記接続端部と前記計測線の他端部とが前記収容箱の背面側に配置された、請求項２に記載の二次電池モジュールを複数収容する二次電池ラックであって、前面が開口されて前記二次電池モジュールを収容可能なラック本体と、前記計測線から計測結果を収集する監視装置と、一端部が前記監視装置に接続され、他端部が前記ラック本体の背面側に配置され、前記二次電池モジュールが前記ラック本体に収容された際に、前記他端部が前記計測線の他端部と接続されるラック内蔵配線と、前記ラック本体の背面側に配置され、前記二次電池モジュールが前記ラック本体に収容された際に、前記接続端部と接続して前記複数の二次電池モジュールを所定の経路で導通接続する内蔵接続体と、を備えることを特徴とする。
【００１３】
この発明によれば、ラック本体の前面の開口から二次電池モジュールを複数収容すると、ラック内蔵配線の他端部が各二次電池モジュールの計測線の他端部と接続され、ラック内蔵配線を介して各計測線が監視装置に接続される。さらに、これと同時に、内蔵接続体が各二次電池モジュールの接続端部と接続され、各二次電池モジュールさらには各二次電池が所定の経路で導通接続される。
【００１４】
請求項５に記載の発明は、請求項１に記載の二次電池モジュールにおいて、前記奥行き方向に収容された前記二次電池が、奇数列に前記収容箱に収容され、一方の前記接続端部が前記収容箱の前面側に配置され、他方の前記接続端部が前記収容箱の背面側に配置されている、ことを特徴とする。
【００１５】
請求項６に記載の発明は、前記計測線の他端部が前記収容箱の背面側に配置された、請求項５に記載の二次電池モジュールを複数収容する二次電池ラックであって、前面が開口されて前記二次電池モジュールを収容可能なラック本体と、前記計測線から計測結果を収集する監視装置と、一端部が前記監視装置に接続され、他端部が前記ラック本体の背面側に配置され、前記二次電池モジュールが前記ラック本体に収容された際に、前記他端部が前記計測線の他端部と接続されるラック内蔵配線と、前記ラック本体の背面側に配置され、前記二次電池モジュールが前記ラック本体に収容された際に、前記収容箱の背面側に配置された接続端部と接続して前記複数の二次電池モジュールを所定の経路で導通接続する内蔵接続体と、を備えることを特徴とする。
【００１６】
この発明によれば、ラック本体の前面の開口から二次電池モジュールを複数収容すると、ラック内蔵配線の他端部が各二次電池モジュールの計測線の他端部と接続され、ラック内蔵配線を介して各計測線が監視装置に接続される。さらに、これと同時に、内蔵接続体が各二次電池モジュールの背面側に配置された接続端部と接続され、各二次電池モジュールが所定の経路で導通接続される。そして、ラック本体の前面側で、各二次電池モジュールの前面側に配置された接続端部を接続体（バスバー）で接続することで、各二次電池モジュールさらには各二次電池が導通接続される。
【発明の効果】
【００１７】
請求項１に記載の発明によれば、二次電池モジュールにおいて各二次電池の端子が導通接続され、さらに、計測線が各二次電池に接続されているため、二次電池モジュールを二次電池ラックに収容した後に、各二次電池間の接続や計測線の配線を行う必要がない。このため、作業中の短絡事故や感電事故などが著しく削減され、安全性が高められるとともに、電池に関する特別な技術、経験などが不要となるため、一般の電力工事として行うことが可能となる。しかも、接続端部が収容箱の前面側や背面側に配置され、さらに、計測線の他端部も収容箱の前面側か背面側かに配置されているため、他の二次電池モジュールとの接続作業や計測線の外部装置（監視装置）への接続作業などを収容箱の前面側や背面側で行うことができる。つまり、収容箱（二次電池ラック）の奥側に手を延ばして作業を行う必要がない。このような結果、容易、迅速かつ安全に複数の二次電池を二次電池ラックに配設することが可能となる。
【００１８】
請求項２に記載の発明によれば、接続端部と計測線の他端部とがともに、収容箱の前面側か背面側の一方に配置されているため、他の二次電池モジュールとの接続作業や計測線の外部装置への接続作業などを、収容箱の前面側か背面側の一方のみで行うことができる。この結果、より容易、迅速かつ安全に複数の二次電池を二次電池ラックに配設することが可能となる。
【００１９】
請求項３に記載の発明によれば、ラック本体に複数の二次電池モジュールを収容し、ラック内蔵配線を各計測線に接続して、各二次電池モジュールを接続体で接続するだけで、各計測線を監視装置に接続し、各二次電池を導通接続させることができる。しかも、各計測線の接続や各二次電池モジュール間の接続は、二次電池ラックの前面側で行えるため、二次電池ラックの奥側に手を延ばして作業を行う必要がない。この結果、複数の二次電池モジュールおよび二次電池を容易、迅速かつ安全に配設することが可能となる。
【００２０】
請求項４に記載の発明によれば、ラック本体に複数の二次電池モジュールを収容するだけで、各計測線がラック内蔵配線を介して監視装置に接続されるとともに、各二次電池モジュール（各二次電池）が所定の経路で導通接続される。つまり、二次電池モジュール間の接続作業や計測線の監視装置への接続作業を行う必要がなく、複数の二次電池モジュールおよび二次電池を極めて容易、迅速かつ安全に配設することが可能となる。つまり、電池モジュール間の接続などを行う必要がなく、充電部に接触することがないため、短絡事故や感電事故などがより削減され、安全性をより高めることができる。
【００２１】
請求項５に記載の発明によれば、接続端部が収容箱の前面側と背面側とに配置され、計測線の他端部が収容箱の前面側または背面側に配置されているため、二次電池モジュール間の接続作業の一部と計測線の監視装置への接続作業とを、収容箱の前面側または背面側で一緒に行うことができる。
【００２２】
請求項６に記載の発明によれば、ラック本体に複数の二次電池モジュールを収容するだけで、各計測線がラック内蔵配線を介して監視装置に接続されるとともに、各二次電池モジュールが所定の経路で導通接続される。そして、ラック本体の前面側で、各二次電池モジュールの前面側に配置された接続端部を接続体で接続するだけで、すべての二次電池モジュール（全二次電池）が導通接続されるため、複数の二次電池モジュールおよび二次電池を容易、迅速かつ安全に配設することが可能となる。
【図面の簡単な説明】
【００２３】
【図１】この発明の実施の形態１に係る電池モジュールを示す平面図（ａ）と正面図（ｂ）である。
【図２】この発明の実施の形態１に係るリチウムイオンセルを示す斜視図である。
【図３】図１の電池モジュール内のリチウムイオンセルの配設位置を示す摸式図である。
【図４】図１の電池モジュールを電池ラックに収容した状態を示す概略正面図である。
【図５】図１の電池モジュールを電池ラックに収容する状態を示す概略平面図である。
【図６】図１の電池モジュールを電池ラックに収容した状態を示す概略平面図である。
【図７】この発明の実施の形態２に係る電池モジュールを示す平面図（ａ）と正面図（ｂ）である。
【図８】図７の電池モジュールを電池ラックに収容した状態を示す概略正面図である。
【図９】図７の電池モジュールを電池ラックに収容する状態を示す概略平面図である。
【図１０】この発明の実施の形態３に係る電池モジュールを示す平面図（ａ）と正面図（ｂ）である。
【図１１】図１０の電池モジュール内のリチウムイオンセルの配設位置を示す図である。
【図１２】図１０の電池モジュールを電池ラックの収容空間に収容する状態を示す斜視図である。
【図１３】図１０の電池モジュールを電池ラックに収容した状態を示す概略正面図である。
【図１４】図１０の電池モジュールを電池ラックに収容した状態を示す概略平面図である。
【発明を実施するための形態】
【００２４】
以下、この発明を図示の実施の形態に基づいて説明する。
【００２５】
（実施の形態１）
図１は、この実施の形態に係る電池モジュール（二次電池モジュール）１を示す図であり、わかりやすくするために、収容箱１１の内部も図示している。この電池モジュール１は、収容箱１１に６つリチウムイオンセル（二次電池）１２が収容され、接続板（接続体）１３と計測線１４とが接続されたものである。
【００２６】
具体的には、収容箱１１は、鋼板製で奥行きが長い箱型で、六面が閉じられている。また、リチウムイオンセル１２は、図２に示すように、縦長の略立方体で、上面から突出するように２つの端子１２１が設けられている。そして、このようなリチウムイオンセル１２が、端子１２１が上向きの状態で、収容箱１１の奥行きＤ方向に３つ、幅Ｗ方向に２列（偶数列）に収容されている。ここで、図３に示すように、隣接するセル１２において端子１２１の極性（「＋」、「−」）が反転するように配設、収容されている。また、電池モジュール１全体として取り扱いや運搬などがしやすく、かつ設置スペースを考慮して、収容箱１１の大きさやセル１２の収容数が設定されている。
【００２７】
このように隣接するセル１２の端子１２１間が、接続板１３によって接続されることで、６つのセル１２が接続体１３を介して一筆書き状に導通接続されている。また、第１のセル１２１の正極端子１２１と第６のセル１２６の負極端子１２１とには、収容箱１１の前面１１ａ側に曲げられたＬ字状接続体（始点と終点の接続端部）１３０が接続され、このＬ字状接続体１３０には、収容箱１１の前面１１ａから突出したモジュール間接続端子１３１が接続されている。そして、この接続端子１３１には、後述するモジュール間接続板（接続体・バスバー）２４がボルトで接続可能となっている。
【００２８】
一方、計測線１４は、各セル１２の電圧や温度を測定するための計測線で、一端部（計測側）が各セル１２に接続され、他端部が収容箱１１の前面１１ａに配設された計測コネクタ１５に接続されている。この計測コネクタ１５は、後述するラック内蔵配線２３が着脱自在となっている。このような電池モジュール１・収容箱１１は、条例キュービクルに適合し、さらに、消防法上の危険物運搬容器の技術基準に適合するように構成されている。
【００２９】
図４は、上記のような電池モジュール１を電池ラック（二次電池ラック）２に複数収容した状態を示す概略正面図である。この電池ラック２は、主として、ラック本体２１と、監視制御装置（監視装置、図５）２２と、ラック内蔵配線２３とを備えている。
【００３０】
ラック本体２１は、前面が開口されたキャビネット状で、上下方向に３つの電池棚２１１が設けられて４段の空間が形成され、各空間は、仕切り板２１２によって５つの収容空間２１Ａに分けられている。そして、図５に示すように、収容箱１１の背面１１ｂをラック本体２１の前面に向けて、収容空間２１Ａに対して電池モジュール１を押し込むことで、電池モジュール１がラック本体２１に収容されるようになっている。
【００３１】
監視制御装置２２は、各計測線１４から計測結果を収集して、各セル１２の電圧や温度を監視するとともに、その監視結果に基づいて充電や放電、バイパス放電などを制御する装置であり、ラック本体２１内の背面側に配設されている。この監視制御装置２２には、複数のラック内蔵配線２３が接続され、各ラック内蔵配線２３の自由端部（他端部、コネクタ）は、各収容空間２１Ａに対応してラック本体２１の前面から突出している。さらに、ラック内蔵配線２３の自由端部は、電池モジュール１の計測コネクタ１５（計測線１４の他端部）に接続可能で、計測コネクタ１５に接続することで、ラック内蔵配線２３を介して各計測線１４が監視制御装置２２に接続されるようになっている。
【００３２】
次に、このような構成の電池ラック２に複数の電池モジュール１を収容、配設する方法などについて説明する。
【００３３】
まず、ラック本体２１の各収容空間２１Ａに対して、図５、６に示すように、前面の開口から電池モジュール１を押し込んで収容する。このとき、各電池モジュール１内のセル１２は、後述するモジュール間接続板２４を接続した際に、所定の経路・レイアウトで接続されるように配置する。例えば、図４に示すレイアウトを構成する場合、最下段の最も左の電池モジュール１の左のモジュール間接続端子１３１が負極で、最上段の最も左の電池モジュール１の左のモジュール間接続端子１３１が正極になるように、各電池モジュール１内のセル１２を配置する。
【００３４】
次に、電池ラック２の前面側で、各ラック内蔵配線２３の自由端部を各電池モジュール１の計測コネクタ１５に接続する。これにより、各計測コネクタ１５および各ラック内蔵配線２３を介して、各計測線１４が監視制御装置２２に接続される。
【００３５】
続いて、電池ラック２の前面側で、隣接する電池モジュール１のモジュール間接続端子１３１間（正極と負極と）をモジュール間接続板２４で接続する。これにより、各電池モジュール１つまり各セル１２が所定のレイアウトで導通接続されるものである。
【００３６】
以上のように、この電池モジュール１および電池ラック２によれば、各電池モジュール１において各セル１２の端子１２１が導通接続され、さらに、各計測線１４が各セル１２に接続されているため、各電池モジュール１を電池ラック２に収容した後に、各セル１２間の接続や計測線１４の配線を行う必要がない。つまり、各電池モジュール１の奥側に手を延ばして作業を行う必要がなく、容易かつ迅速に複数のセル１２を電池ラック２に配設することができる。
【００３７】
さらに、ラック本体２１に各電池モジュール１を収容し、各ラック内蔵配線２３を計測コネクタ１５に接続して、各電池モジュール１間をモジュール間接続板２４で接続するだけで、各計測線１４を監視制御装置２２に接続し、各電池モジュール１・各セル１２を所定のレイアウトで導通接続させることができる。このように、各ラック内蔵配線２３の接続作業や各電池モジュール１間の接続作業のみでよく、従来に比べて接続作業が低減されるため、短絡などのヒューマンエラーを減らして、安全性を高めることができる。つまり、各セル１２への計測線１４の配線などの煩雑な作業を行う必要がないため、作業中の短絡事故や感電事故などが著しく削減され、安全性を高めることができる。さらに、このような接続作業などは、電池に関する特別な技術、経験などを要しないため、一般の電力工事として行うことが可能となる。
【００３８】
しかも、各ラック内蔵配線２３の接続作業や各電池モジュール１間の接続作業は、電池ラック２の前面側だけで行え、背面側で作業を行う必要がないため、背面側に作業スペースを確保する必要がなく、省スペース化が可能となる。特に、データセンタのように、複数の電池ラック２を横一列に配置し、前面側や背面側のスペースが限られている設置場所においては、限られたスペースで電池モジュール１の配設作業を行うことができる。さらに、上記のような接続作業は、電池ラック２の奥側に手を延ばす必要がないため、複数の電池モジュール１および各セル１２を容易かつ迅速に配設することができる。
【００３９】
また、電池モジュール１が条例キュービクルに適合しているため、電池ラック２の設計に際して条例キュービクルの適合を考慮する必要がなく、電池ラック２の設計が容易となる。同様に、電池モジュール１が危険物運搬容器の技術基準に適合しているため、電池モジュール１の運搬に際して特別な容器などを準備する必要がなく、運搬コストを低減することができる。
【００４０】
（実施の形態２）
図７〜９は、この実施の形態に係る電池モジュール３および電池ラック４を示し、実施の形態１と同等の構成については、同一符号を付することで、その説明を省略する。後述する実施の形態３についても、同様とする。
【００４１】
この電池モジュール３では、図７に示すように、端子コネクタ１３２と計測コネクタ１５（計測線１４の他端部）とが、収容箱１１の背面１１ｂ側に配置されている。ここで、計測コネクタ１５は、後述するようにして電池モジュール３をラック本体２１に押し込むだけで、ラック内蔵配線２３に装着・接続できるようになっている。また、端子コネクタ１３２は両Ｌ字状接続体１３０に接続され、この端子コネクタ１３２は、後述するパワーコネクタ２６に着脱自在に接続し、しかも、後述するようにして電池モジュール３をラック本体２１に押し込むだけで、パワーコネクタ２６に装着・接続できるようになっている。
【００４２】
電池ラック４は、ラック本体２１の背面側に、ラック内蔵配線２３と内蔵接続体２５とが配設されている。すなわち、図９に示すように、監視制御装置２２から各収容空間２１Ａに向かってラック内蔵配線２３が配設され、各ラック内蔵配線２３の自由端部（他端部）にはコネクタ２３１が設けられ、電池モジュール３が押し込まれることで計測コネクタ１５と接続されるようになっている。
【００４３】
また、内蔵接続体２５の端部には、電池モジュール３の端子コネクタ１３２と着脱自在なパワーコネクタ２６が設けられ、電池モジュール３が押し込まれることでパワーコネクタ２６と端子コネクタ１３２とが接続され、電池モジュール３に内蔵接続体２５が接続されるようになっている。そして、このような接続状態において、各内蔵接続体２５を介して各電池モジュール３が所定のレイアウトで導通接続されるように、内蔵接続体２５が配設されている。つまり、実施の形態１におけるモジュール間接続板２４と同様に配設されている。
【００４４】
この実施の形態によれば、ラック本体２１の各収容空間２１Ａに対して、前面の開口から電池モジュール３を押し込んで収容すると、各ラック内蔵配線２３が各計測コネクタ１５に接続され、各計測線１４が監視制御装置２２に接続される。これと同時に、各内蔵接続体２５が各電池モジュール３の端子コネクタ１３２と接続され、各電池モジュール３つまり各セル１２が所定のレイアウトで導通接続される。
【００４５】
このように、ラック本体２１に電池モジュール３を収容するだけで、各計測線１４が監視制御装置２２に接続されるとともに、各電池モジュール３（各セル１２）が所定のレイアウトで導通接続される。つまり、計測線１４の視制御装置２２への接続作業や電池モジュール３間の接続作業すら行う必要がなく、複数の電池モジュール３およびセル１２を極めて容易かつ迅速に配設することが可能となる。さらに、電池モジュール３を収容するだけでよいため、各セル１２への計測線１４の配線や電池モジュール３間の接続などを行う必要がなく、充電部に接触することがないため、短絡事故や感電事故などがより削減され、安全性をより高めることができる。さらに、このような作業は、電池に関する特別な技術、経験などを要しないため、一般の電力工事として行うことが可能となる。
【００４６】
（実施の形態３）
図１０〜１４は、この実施の形態に係る電池モジュール５および電池ラック６を示す。この電池モジュール５では、図１０に示すように、セル１２が、収容箱５１の奥行きＤ方向に３つ、幅Ｗ方向に１列（奇数列）収容されている。ここで、図１１に示すように、隣接するセル１２において端子１２１の極性（「＋」、「−」）が反転するように配設、収容されている。
【００４７】
そして、隣接するセル１２の端子１２１間が接続板１３で接続され、収容箱５１の前面５１ａ側に位置するセル１２の正極端子１２１には、Ｌ字状接続体１３０を介して、後述するモジュール間接続ケーブル６４をワンタッチで着脱自在な前面コネクタ１３５が設けられている。この前面コネクタ１３５は、電池モジュール５間に電流を流す役割を有している。
【００４８】
一方、収容箱５１の背面５１ｂ側に位置するセル１２の負極端子１２１には、Ｌ字状接続体１３０を介して、後述するラック内背面コネクタ６２とワンタッチで着脱自在な背面コネクタ１３６が設けられ、この背面コネクタ１３６は、電池モジュール５間の電流とともに、各計測線１４からの計測結果（計測信号）を送る役割を備えている。すなわち、各セル１２に接続された各計測線１４の他端部が、背面コネクタ１３６に接続されている。また、この背面コネクタ１３６には、電流用ヒューズが内蔵されている。
【００４９】
電池ラック６のラック本体６１には、実施の形態１、２と同様に、前面が開口された収容空間６１Ａが設けられ、各収容空間６１Ａの背面側には、図１２に示すように、ラック内背面コネクタ６２が配設されている。このラック内背面コネクタ６２は、図１３、１４に示すように、ラック内蔵配線６５を介して監視制御装置２２に接続されているとともに、ラック内背面コネクタ６２同士が所定のレイアウトで、内蔵接続体６３によって接続されている。そして、収容空間６１Ａに対して電池モジュール５を押し込むことで、電池モジュール５の背面コネクタ１３６がラック内背面コネクタ６２に接続される。これにより、ラック内背面コネクタ６２およびラック内蔵配線６５を介して、電池モジュール５の各計測線１４が監視制御装置２２に接続されるとともに、ラック内背面コネクタ６２および内蔵接続体６３を介して、各電池モジュール５が所定のレイアウトで導通接続されるようになっている。なお、図１４中左右両側のラック内背面コネクタ６２には、上下方向に延びる内蔵接続体６３（図１３中破線で図示）が接続されている。
【００５０】
この実施の形態によれば、ラック本体６１の前面の開口から各電池モジュール５を押し込んで収容すると、各電池モジュール５の計測線１４が監視制御装置２２に接続されると同時に、各電池モジュール５が所定のレイアウトで導通接続される。そして、電池ラック６の前面側で、所定の電池モジュール５の前面コネクタ１３５同士をモジュール間接続ケーブル６４で接続することで、全電池モジュール５（全セル１２）が導通接続される。すなわち、図１３に示すように、内蔵接続体６３とモジュール間接続ケーブル６４とによって、所定のレイアウトで各電池モジュール５が導通接続される。換言すると、このように導通接続されるように、内蔵接続体６３が配設されている。
【００５１】
このように、ラック本体６１に電池モジュール５を収容するだけで、各計測線１４が監視制御装置２２に接続されるとともに、各電池モジュール５が所定のレイアウトで接続される。そして、電池ラック６の前面側で、電池モジュール５同士をモジュール間接続ケーブル６４で接続することで、全電池モジュール５（全セル１２）が導通接続され、複数の電池モジュール５およびセル１２を容易かつ迅速に配設することが可能となる。また、各セル１２への計測線１４の配線が不要で、電池モジュール５間の接続作業数も低減されるため、作業中の短絡事故や感電事故などが著しく削減され、安全性を高めることができる。さらに、このような接続作業などは、電池に関する特別な技術、経験などを要しないため、一般の電力工事として行うことが可能となる。しかも、モジュール間接続ケーブル６４の接続作業は、電池ラック６の前面側だけで行え、背面側に作業スペースを確保する必要がないため、省スペース化が可能となる。さらに、モジュール間接続ケーブル６４を前面コネクタ１３５にワンタッチで接続可能なため、より容易かつ迅速な作業が可能となる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１、２では、収容箱１１に２列のリチウムイオンセル１２が収容されているが、１つのセル１２の重量や大きさなどに応じて、その他の偶数列のセル１２を収容した収容箱であってもよい。同様に、実施の形態３において、３列以上の奇数列のセル１２を収容した収容箱であってもよい。また、上蓋を備えずに、上側が開口した収容箱であってもよい。さらに、並列に接続したセル１２を１セルとし、このセルを収容箱に複数収容するようにしてもよい。
【００５３】
また、上記のようなモジュール間接続や計測線接続以外の接続であってもよく、例えば次のように、電池ラックの前面で計測線を接続するようにしてもよい。すなわち、収容箱に偶数列セル１２を収容し、電池ラックの前面で計測線をコネクタ接続し、電池ラックの背面でモジュール間をコネクタ接続する。あるいは、収容箱に奇数列セル１２を収容し、電池ラックの前面で計測線をコネクタ接続するとともに、モジュール間の一部を接続し、電池ラックの背面で残りのモジュール間をコネクタ接続したりしてもよい。これにより、電池モジュールを押し込むだけで容易かつ安全にモジュール間を接続することができるとともに、多くのコネクタが背面側に配設されることによる機械的な故障率を低減して、信頼性を高めることができる。
【００５４】
また、接続板１３やモジュール間接続板２４をケーブルで構成してもよいし、さらに、実施の形態２におけるラック内蔵配線２３は、導体（剛体）であってもよい。また、リチウムイオンセル２に限らず、広く二次電池一般に適用することができる。
【符号の説明】
【００５５】
１        電池モジュール（二次電池モジュール）
１１      収容箱
１１ａ    前面
１１ｂ    背面
１２      リチウムイオンセル（二次電池）
１２１    端子
１３      接続板（接続体）
１３０    Ｌ字状接続体（始点と終点の接続端部）
１４      計測線
１５      計測コネクタ
２        電池ラック（二次電池ラック）
２１      ラック本体
２１Ａ    収容空間
２２      監視制御装置（監視装置）
２３      ラック内蔵配線
２４      モジュール間接続板（接続体）
【図１】
2013164961.tif 000003
【図２】
2013164961.tif 000004
【図３】
2013164961.tif 000005
【図４】
2013164961.tif 000006
【図５】
2013164961.tif 000007
【図６】
2013164961.tif 000008
【図７】
2013164961.tif 000009
【図８】
2013164961.tif 000010
【図９】
2013164961.tif 000011
【図１０】
2013164961.tif 000012
【図１１】
2013164961.tif 000013
【図１２】
2013164961.tif 000014
【図１３】
2013164961.tif 000015
【図１４】
2013164961.tif 000016